(57)【要約】【課題】  横方向に小型化できると共に、防塵性の良好な撮像装置を提供すること。【解決手段】  本発明の撮像装置は、絶縁基板４の下面側に設けられた導電パターン５と、絶縁基板４の下面側に配設された状態で導電パターン５に接続された撮像部材６と、この撮像部材６の外周に配設された絶縁フィルム１２とを備え、外面に引出導体１３を設けた絶縁フィルム１２が撮像部材６の下面と側面に当接、或いは近接した状態で配置されるため、従来における基板部材５３の収納部５３ｃと側壁５３ｂを無くすることができて、横方向に小型化できると共に、絶縁フィルム１２は、引出導体１３を形成した状態で組み合わされるため、その組み込み作業が容易で、生産性の良好なものが得られる。【選択図】  図１
2007047715.tif 000002
【特許請求の範囲】
【請求項１】
レンズからの光を通す絶縁基板と、この絶縁基板の下面側に設けられた導電パターンと、前記絶縁基板の下面側に配設され、前記導電パターンに接続された撮像部材と、この撮像部材の外周に配設された絶縁フィルムとを備え、前記絶縁フィルムは、少なくとも底板部と、この底板部から上方に折り曲げられた一対の対向する側板部を有すると共に、前記絶縁フィルムの外面には、前記底板部と前記側板部に跨る複数の引出導体が設けられ、前記絶縁フィルムの前記底板部は、前記撮像部材の下面に当接、或いは近接した状態で配置されると共に、前記絶縁フィルムの前記側板部は、前記撮像部材の対向する側面に当接、或いは近接した状態で配置され、前記導電パターンと前記引出導体が接続導体によって電気的に接続されたことを特徴とする撮像装置。
【請求項２】
前記絶縁フィルムは、フレキシブルな材料で形成されたことを特徴とする請求項１記載の撮像装置。
【請求項３】
前記絶縁フィルムは、前記底板部と前記側板部とで囲まれた凹状の収納部を有する箱状部を有し、前記撮像部材が前記収納部内に収納されて、前記撮像部材の下面と側面の全体が前記箱状部によって覆われたことを特徴とする請求項１、又は２記載の撮像装置。
【請求項４】
前記絶縁フィルムには、前記側板部の上端から外方に折り曲げられた鍔部と、この鍔部に設けられた複数の貫通孔を有すると共に、前記引出導体は、前記鍔部の外面の位置で前記貫通孔まで延びる導体部を有し、前記鍔部が前記絶縁基板の下面に配置された状態で、前記貫通孔内に設けられた前記接続導体によって、前記導電パターンと前記導体部が接続されたことを特徴とする請求項１から３の何れか１項に記載の撮像装置。
【請求項５】
前記撮像部材は、前記絶縁基板に対向する受光部を設けた本体部を有すると共に、前記絶縁フィルム内には、前記受光部を封止するように、前記絶縁基板と前記本体部との間に設けられた樹脂部を有し、前記絶縁フィルムと接する前記樹脂部の外側面には、前記絶縁基板に向かって広がるような傾斜部が設けられたことを特徴とする請求項１から４の何れか１項に記載の撮像装置。
【請求項６】
前記本体部と前記絶縁フィルムの対向する面は、前記本体部、又は／及び前記絶縁フィルムを粗面となして、両者を密着したことを特徴とする請求項５記載の撮像装置。
【請求項７】
前記本体部の下面の隅部には、面取り部が設けられたことを特徴とする請求項５、又は６記載の撮像装置。
【請求項８】
前記本体部と前記樹脂部の外面には、密着層が設けられ、この密着層を介して前記本体部と前記絶縁フィルム、及び前記樹脂部と前記絶縁フィルムが密着されたことを特徴とする請求項５から７の何れか１項に記載の撮像装置。
【請求項９】
前記密着層は、スパッタで形成されたアルミナからなることを特徴とする請求項８記載の撮像装置。
【請求項１０】
前記密着層は、シランカップリング剤からなることを特徴とする請求項８記載の撮像装置。
【発明の詳細な説明】
【技術分野】
【０００１】
本発明は、携帯電話機等に使用されるカメラモジュールに適用して好適な撮像装置に関するものである。
【背景技術】
【０００２】
従来の撮像装置の図面を説明すると、図７は従来の撮像装置に係る要部断面図であり、次に、従来の撮像装置の構成を図７に基づいて説明すると、ガラス基体５１は、レンズ部５２と、このレンズ部５２から段差を持って形成された基板部材５３を有し、この基板部材５３は、平板状の基板部５３ａと、この基板部５３ａの下面周辺から下方に突出した側壁５３ｂと、基板部５３ａと側壁５３ｂに囲まれ、下面側の中央部に設けられた凹状の収納部５３ｃを有する。
【０００３】
また、基板部材５３には、引出導体５４が設けられ、この引出導体５４は、収納部５３ｃ内の基板部５３ａの下面に設けられた導体部５４ａと、側壁５３ｂの下面に設けられた端子部５４ｂと、側壁５３ｂの側面に設けられ、導体部５４ａと端子部５４ｂとを繋ぐ接続部５４ｃを有する。
【０００４】
撮像部材５５は、シリコン材からなる四角形状の本体部５６と、この本体部５６の上面に設けられた受光部５７を有し、この撮像部材５５は、受光部５７がレンズ部５２に対向した状態で、本体部５６の全体が収納部５３ｃ内に収納され、受光部５７がバンプ５８によって導体部５４ａに接続されると共に、本体部５６の上面と基板部５３ａとの間には、絶縁樹脂からなるアンダーフィル５９が設けられている。
【０００５】
前面部に貫通孔６０ａを有する筒状のキャップ６０は、レンズ部５２の外周部を囲むようにガラス基体５１に取り付けられて、従来の撮像装置が形成されている（例えば、特許文献１参照）。
【０００６】
このような構成を有する従来の撮像装置は、引出用プリント基板６１が収納部５３ｃの下部を塞ぐように側壁５３ｂの下面に配置され、端子部５４ｂが引出用プリント基板６１の導電パターン（図示せず）に接続されるようになっている。
【特許文献１】特開２００２−２０４４００号公報（第３−第４頁、図１）
【発明の開示】
【発明が解決しようとする課題】
【０００７】
しかし、従来の撮像装置において、基板部材５３の収納部５３ｃは、撮像部材５５を収納し、且つ、この状態でアンダーフィル５９を注入するために、横方向に大きなスペースを必要とし、従って、基板部材５３が横方向に大きくなって、大型になる上に、収納部５３ｃの下部が開放した状態となっているため、防塵性が悪くなるという問題がある。
【０００８】
本発明は、このような従来技術の実情に鑑みてなされたもので、その目的は、横方向に小型化できると共に、防塵性の良好な撮像装置を提供することにある。
【課題を解決するための手段】
【０００９】
上記の目的を達成するために、本発明の第１の解決手段として、レンズからの光を通す絶縁基板と、この絶縁基板の下面側に設けられた導電パターンと、前記絶縁基板の下面側に配設され、前記導電パターンに接続された撮像部材と、この撮像部材の外周に配設された絶縁フィルムとを備え、前記絶縁フィルムは、少なくとも底板部と、この底板部から上方に折り曲げられた一対の対向する側板部を有すると共に、前記絶縁フィルムの外面には、前記底板部と前記側板部に跨る複数の引出導体が設けられ、前記絶縁フィルムの前記底板部は、前記撮像部材の下面に当接、或いは近接した状態で配置されると共に、前記絶縁フィルムの前記側板部は、前記撮像部材の対向する側面に当接、或いは近接した状態で配置され、前記導電パターンと前記引出導体が接続導体によって電気的に接続された構成とした。
【００１０】
また、第２の解決手段として、前記絶縁フィルムは、フレキシブルな材料で形成された構成とした。
【００１１】
また、第３の解決手段として、前記絶縁フィルムは、前記底板部と前記側板部とで囲まれた凹状の収納部を有する箱状部を有し、前記撮像部材が前記収納部内に収納されて、前記撮像部材の下面と側面の全体が前記箱状部によって覆われた構成とした。
【００１２】
また、第４の解決手段として、前記絶縁フィルムには、前記側板部の上端から外方に折り曲げられた鍔部と、この鍔部に設けられた複数の貫通孔を有すると共に、前記引出導体は、前記鍔部の外面の位置で前記貫通孔まで延びる導体部を有し、前記鍔部が前記絶縁基板の下面に配置された状態で、前記貫通孔内に設けられた前記接続導体によって、前記導電パターンと前記導体部が接続された構成とした。
【００１３】
また、第５の解決手段として、前記撮像部材は、前記絶縁基板に対向する受光部を設けた本体部を有すると共に、前記絶縁フィルム内には、前記受光部を封止するように、前記絶縁基板と前記本体部との間に設けられた樹脂部を有し、前記絶縁フィルムと接する前記樹脂部の外側面には、前記絶縁基板に向かって広がるような傾斜部が設けられた構成とした。
【００１４】
また、第６の解決手段として、前記本体部と前記絶縁フィルムの対向する面は、前記本体部、又は／及び前記絶縁フィルムを粗面となして、両者を密着した構成とした。
【００１５】
また、第７の解決手段として、前記本体部の下面の隅部には、面取り部が設けられた構成とした。
【００１６】
また、第８の解決手段として、前記本体部と前記樹脂部の外面には、密着層が設けられ、この密着層を介して前記本体部と前記絶縁フィルム、及び前記樹脂部と前記絶縁フィルムが密着された構成とした。
【００１７】
また、第９の解決手段として、前記密着層は、スパッタで形成されたアルミナからなる構成とした。
【００１８】
また、第１０の解決手段として、前記密着層は、シランカップリング剤からなる構成とした。
【発明の効果】
【００１９】
本発明の撮像装置は、絶縁基板の下面側に設けられた導電パターンと、絶縁基板の下面側に配設された状態で導電パターンに接続された撮像部材と、この撮像部材の外周に配設された絶縁フィルムとを備え、外面に引出導体を設けた絶縁フィルムが撮像部材の下面と側面に当接、或いは近接した状態で配置されるため、従来における基板部材の収納部と側壁を無くすることができて、横方向に小型化できると共に、絶縁フィルムは、引出導体を形成した状態で組み合わされるため、その組み込み作業が容易で、生産性の良好なものが得られる。
【００２０】
また、絶縁フィルムは、フレキシブルな材料で形成されたため、容易に変形可能となって、組み込みの際での撮像部材の破損の無いものが得られる。
【００２１】
また、絶縁フィルムの凹状の収納部を有する箱状部内には、撮像部材が収納されて、撮像部材の下面と側面の全体が箱状部によって覆われたため、撮像部材に対する防塵性の良好なものが得られる。
【００２２】
また、絶縁フィルムの鍔部が絶縁基板の下面に載置されるようにしたため、絶縁フィルムの取り付けが安定すると共に、この外方に突出した鍔部の位置で、導電パターンと引出導体が接続導体によって接続されるため、その接続作業が容易となって、生産性の良好なものが得られる。
【００２３】
また、撮像部材は、絶縁基板に対向する受光部を設けた本体部を有すると共に、絶縁フィルム内には、受光部を封止するように、絶縁基板と本体部との間に設けられた樹脂部を有し、絶縁フィルムと接する樹脂部の外側面には、絶縁基板に向かって広がるような傾斜部が設けられたため、絶縁フィルムと樹脂部との間に隙間を無くすることができ、絶縁フィルムの密着性が良くなって、絶縁フィルムの剥がれを防止できる。
【００２４】
また、本体部と絶縁フィルムの対向する面は、本体部、又は／及び絶縁フィルムを粗面となして、両者を密着したため、本体部と絶縁フィルムの密着性が良く、絶縁フィルムの剥がれの無いものが得られる。
【００２５】
また、本体部の下面の隅部には、面取り部が設けられたため、本体部の隅部における絶縁フィルムの応力集中を無くすることができ、絶縁フィルムの破れを防止できる。
【００２６】
また、本体部と樹脂部の外面には、密着層が設けられ、この密着層を介して本体部と絶縁フィルム、及び樹脂部と絶縁フィルムが密着されたため、本体部と絶縁フィルム間、及び樹脂部と絶縁フィルム間の剥がれを無くすることができる。  また、密着層は、スパッタで形成されたアルミナからなる構成としたため、密着層の形成が簡単で、生産性の良好なものが得られる。
【００２７】
また、密着層は、シランカップリング剤からなる構成としたため、密着層の形成が簡単で、生産性の良好なものが得られる。
【発明を実施するための最良の形態】
【００２８】
発明の実施の形態について図面を参照して説明すると、図１は本発明の撮像装置の第１実施例に係る要部断面図、図２は本発明の撮像装置の第１実施例に係る絶縁フィルムの斜視図、図３は本発明の撮像装置の第２実施例に係る絶縁フィルムの斜視図、図４は本発明の撮像装置の第３実施例に係る要部断面図、図５は本発明の撮像装置の第４実施例に係る要部断面図、図６は本発明の撮像装置の第５実施例に係る要部断面図であり、次に、本発明の撮像装置の第１実施例に係る構成を図１、図２に基づいて説明すると、合成樹脂の成型品等からなる筒状の保持部材１内には、レンズ２が取り付けられると共に、保持部材１の下部には、赤外線除去フィルタ（ＩＲカットフィルタ）３が配置されている。
【００２９】
レンズ２からの光を通すガラス基板からなる平板状の絶縁基板４の下面には、複数の導電パターン５が設けられると共に、この絶縁基板４は、上面が赤外線除去フィルタ３に重ね合わされて配置されている。
【００３０】
撮像部材６は、シリコン材からなる四角形状の本体部７と、この本体部７の上面中央部に設けられた受光部８と、こ受光部８の外周の位置で、本体部７の上面に設けられた複数の電極９を有すると共に、この撮像部材６の受光部８の前面には、マイクロレンズ１０が配設されている。
【００３１】
このような構成を有する撮像部材６は、受光部８を上方にした状態で、絶縁基板４の下面側に配置され、電極９がバンプ１１によって導電パターン５に接続されて取り付けられる。この時、受光部８は、レンズ２からの光が赤外線除去フィルタ３、絶縁基板４，及びマイクロレンズ１０を通って感知するようになっている。
【００３２】
絶縁フィルム１２は、樹脂製のフレキシブルな材料で形成され、四角形の底板部１２ａと、この底板部１２ａの４辺から上方に折り曲げられた４つの側板部１２ｂと、この側板部１２ｂの上端から外方に折り曲げられた鍔部１２ｃと、この鍔部１２ｃに設けられた複数の貫通孔１２ｄと、底板部１２ａと４つの側板部１２ｂとで囲まれた凹状の収納部１２ｅを備えた箱状部１２ｆを有する。この絶縁フィルム１２の外面には、複数の引出導体１３が設けられ、引出導体１３は、貫通孔１２ｄに位置した状態で鍔部１２ｃの外面に設けられた導体部１３ａと、底板部１２ａの外面に設けられた端子部１３ｂと、導体部１３ａと端子部１３ｂを繋ぐように側板部１２ｂの外面に設けられた接続部１３ｃを有する。
【００３３】
このような構成を有する絶縁フィルム１２は、収納部１２ｃ内に撮像部材６の全体を収納した状態で、鍔部１２ｃを絶縁基板４の下面に載置すると共に、導電剤からなる接続導体１４が貫通孔１２ｄ内に充填されて、導電パターン５と引出導体１３の導体部１３ａが電気的に接続される。
【００３４】
この時、絶縁フィルム１２は、箱状部１２ｆによって撮像部材６の全体（下面と側面）が覆われると共に、底板部１２ａと側板部１２ｂのそれぞれは、撮像部材６の下面や側面に当接、或いは近接した状態に配置された状態となって、本発明の撮像装置が形成されている。
【００３５】
このような構成を有する本発明の撮像ジュールは、引出用プリント基板１５が絶縁フィルム１２の底板部１２ａの下面に配置され、端子部１３ｂが引出用プリント基板１５の導電パターン１６に接続されて、電子機器の回路に接続されるようになっている。
【００３６】
また、図３は本発明の撮像装置の第２実施例を示し、この第２実施例について説明すると、絶縁フィルム１２は、底板部１２ａと、この底板部１２ａから上方に折り曲げられた一対の対向する側板部１２ｂと、この側板部１２ｂの上端から外方に折り曲げられ、貫通孔１２ｄを設けた鍔部１２ｃを有し、絶縁フィル１２の底板部１２ａは、撮像部材６の下面に当接、或いは近接した状態で配置されると共に、絶縁フィルム１２の側板部１２ｂは、撮像部材６の対向する側面に当接、或いは近接した状態で配置されたものである。その他の構成は、前記第１実施例と同様の構成を有し、同一部品に同一番号を付し、ここではその説明を省略する。
【００３７】
また、図４は本発明の撮像装置の第３実施例を示し、この第３実施例について説明すると、絶縁基板５は、不透明な材料で形成され、レンズ２からの光を通すための貫通孔４ａが設けられると共に、絶縁フィルム１２には、鍔部１２ｃが削除され、側板部１２ｂに設けられた引出導体１３の接続部１３ｃの上端部が導体部１３ａを形成して、この導体部１３ａと導電パターン５が接続導体１４によって接続されたものである。その他の構成は、前記第１、又は第２実施例と同様の構成を有し、同一部品に同一番号を付し、ここではその説明を省略する。
【００３８】
また、図５は本発明の撮像装置の第４実施例を示し、この第４実施例について説明すると、絶縁基板５と撮像部材６の本体部７との間には、受光部８の外周を囲むように設けられた樹脂からなるダム１７と、受光部８を封止するように設けられたアンダーフィルである樹脂部１８を有し、この樹脂部１８は、本体部７の上面から側面に跨って設けられ、樹脂部１８の外側面には、本体部７の側面から絶縁基板５に向かって広がる丸み等からなる傾斜部１８ａが設けられて、樹脂部１８の外側面と絶縁フィルム１２との間は、隙間無く密着されると共に、絶縁フィルム１２と本体部７の対向する面は、絶縁フィルム１２と本体部７の何れか一方、或いは双方が粗面に形成されて、互いに密着され、また、本体部７の下面の隅部には、面取り部７ａが設けられ、この面取り部７ａによって、絶縁フィルム１２の応力集中を無くしている。その他の構成は、前記第１実施例と同様の構成を有し、同一部品に同一番号を付し、ここではその説明を省略する。
【００３９】
また、図６は本発明の撮像装置の第５実施例を示し、この第５実施例について説明すると、本体部７と樹脂部１８の外面には、無機材料からなるアルミナや有機材料からなるシランカップリング剤からなる密着層１９が設けられ、この密着層１９を介して本体部７と絶縁フィルム１２間、及び樹脂部１８と絶縁フィルム１２間がが密着されている。そして、密着層１９の形成は、先ず、撮像部材６と樹脂部１８が絶縁基板５に設けられた後、アルミナ場合、本体部７と樹脂部１８の外周面と絶縁基板５の露出下面、及び導電パターン５の接続導体１４への接続部を除く箇所にスパッタによってアルミナ膜を形成するようになっており、また、シランカップリング剤の場合、本体部７と樹脂部１８の外周面と絶縁基板５の露出下面、及び導電パターン５の接続導体１４への接続部を除く箇所に吹きつけや塗布等によってシランカップリング剤膜を形成するようになっており、このようにして密着層１９が形成された後に、この密着層１９に絶縁フィルム１２が密着されるものである。その他の構成は、前記第４実施例と同様の構成を有し、同一部品に同一番号を付し、ここではその説明を省略する
【図面の簡単な説明】
【００４０】
【図１】本発明の撮像装置の第１実施例に係る要部断面図である。
【図２】本発明の撮像装置の第１実施例に係る絶縁フィルムの斜視図である。
【図３】本発明の撮像装置の第２実施例に係る絶縁フィルムの斜視図である。
【図４】本発明の撮像装置の第３実施例に係る要部断面図である。
【図５】本発明の撮像装置の第４実施例に係る要部断面図である。
【図６】本発明の撮像装置の第５実施例に係る要部断面図である。
【図７】従来の撮像装置に係る要部断面図である。
【符号の説明】
【００４１】
１  保持部材
２  レンズ
３  赤外線除去フィルタ
４  絶縁基板
４ａ  貫通孔
５  導電パターン
６  撮像部材
７  本体部
７ａ  面取り部
８  受光部
９  電極
１０  マイクロレンズ
１１  バンプ
１２  絶縁フィルム
１２ａ  底板部
１２ｂ  側板部
１２ｃ  鍔部
１２ｄ  貫通孔
１２ｅ  収納部
１２ｆ  箱状部
１３  引出導体
１３ａ  導体部
１３ｂ  端子部
１３ｃ  接続部
１４  接続導体
１５  引出用プリント基板
１６  導電パターン
１７  ダム
１８  樹脂部
１８ａ  傾斜部
１９  密着層
【図１】
2007047715.tif 000003
【図２】
2007047715.tif 000004
【図３】
2007047715.tif 000005
【図４】
2007047715.tif 000006
【図５】
2007047715.tif 000007
【図６】
2007047715.tif 000008
【図７】
2007047715.tif 000009